(57)【要約】本発明は、映像信号と共に受信されるメタデータのオンライン分析に関する。この分析により、表示装置（１１０）周辺の照明が順応される。メタデータの１つ以上の特徴は、フィルタリングされ且つ１つ以上の光源を順次含んでもよい１つ以上の光要素（１０２、１０４、１０６、１０８）の照明設定に具現化される。
2005531909.tif 000002
【特許請求の範囲】
【請求項１】
受信器によって主要データと付加データとを受信し、
前記付加データに基づいて前記周辺光の特性を設定することを備える周辺光を制御する方法であって、
前記付加データが前記主要データについての記述情報を備え、また前記方法が
前記付加データから前記記述情報をフィルタリングし、
前記記述情報に基づいて前記周辺光の前記特性を設定することを備える、方法。
【請求項２】
前記方法が表示装置によって前記主要データを表示し、また前記表示装置に近接する前記周辺光の前記特性を設定することを含む、請求項１に記載の周辺光を制御する方法。
【請求項３】
前記周辺光の前記特性の設定が、前記表示装置による前記主要データの表示とほぼ同期している、請求項２に記載の周辺光を制御する方法。
【請求項４】
前記周辺光の前記特性の設定が変更可能である、請求項１に記載の周辺光を制御する方法。
【請求項５】
前記周辺光の前記特性の設定がユーザの好みによって変更可能である、請求項１に記載の周辺光を制御する方法。
【請求項６】
主要データと付加データとを受信するよう構成されている受信手段と、
前記付加データに基づいて前記周辺光の特性を設定するよう構成されている設定手段とを具備してなる周辺光を制御するシステムであって、
前記付加データが前記主要データについての記述情報を含み、また前記システムが
前記付加データから前記記述情報をフィルタリングするよう構成されているフィルタリング手段と、
前記記述情報に基づいて前記周辺光の前記特性を設定するよう構成されている設定手段とを具備してなるシステム。
【請求項７】
前記システムが表示装置上で前記主要データを表示するよう構成されている表示手段を具備し、且つ前記設定手段が前記表示装置に近接している前記周辺光の前記特性を設定するよう構成されている、請求項６に記載の周辺光を制御するシステム。
【請求項８】
前記システムが、前記表示手段を前記設定手段と同期させるよう構成されている同期化手段を具備してなる、請求項７に記載の周辺光を制御するシステム。
【請求項９】
光アーマチュアと、請求項６に記載の前記システムとを具備してなる照明ユニット。
【発明の詳細な説明】
【技術分野】
【０００１】
本発明は、主要データと付加データとを受信し、この付加データに基づいて周辺光の特性を設定することを含む周辺光を制御する方法に関する。
【０００２】
更に、本発明は主要データと付加データとを受信するよう構成されている受信手段と、この付加データに基づいて周辺光の特性を設定するよう構成されている設定手段とを備える、周辺光を制御するシステムに関する。
【０００３】
また、本発明は光アーマチュアとこのようなシステムとを備える照明ユニットに関する。
【背景技術】
【０００４】
このような方法およびシステムの実施例は、EP 0 264 053に記載されている。ここで、無線またはテレビジョン信号と共に付加信号を受信する音声およびテレビジョン受信機が記載されている。この付加信号は、例えばドイツで使用されているように無線データシステム（RDS）信号または映像プログラムシステム（VPS）である。付加信号は、明かりをつけたり、光の明るさや色を変更したり、あるいは映画などを見ている間に邪魔されないよう玄関のベルや電話を切ったりするのに使用することができる。付加信号はまた、例えばテレビ番組の始まりと終わりを示すのにも使用できる。そのため、付加信号が受信されると、ビデオレコーダは、テレビ番組の始まりで番組の録画を開始し、また番組の終わりで録画を終了する。従って、付加信号は、無線またはテレビジョン信号が受信されている間に装置のオンオフ切換をするのに使用される。
【発明の開示】
【０００５】
本発明の目的は、このような付加データによって強化機能を有する前文の方法を提供することにある。この目的を達成するために、方法は付加データが主要データに関する記述情報を含むことを特徴とし、また方法は、付加データからこの記述情報をフィルタリングし、記述情報に基づいて周辺光の特性を設定することを含んでいる。
【０００６】
主要データと共に、テレビのショー、映画、ゲーム、音楽などの主要データに関する記述情データを設けることにより、周辺光は主要データの実効を強調する。例えば、ホラー映画を見ているとき、周辺光は明るさを下げる。また、周辺光は異なる色を含み、また色の使用または色の組合せも、主要データに関する記述情報を含む記述データに依存しうる。例えば、リラックスさせる音楽を聴いている場合、人間の体をリラックスさせる効果のある色の組合せを使用することができる。ホラー映画の場合、黒、茶色、赤などの暗い色を使用することができる。
【０００７】
本発明による方法の実施例は請求項２に記載されている。表示装置によって主要データを表示し、また表示装置に近接している周辺光の特性を設定することによって、周辺光は表示されている主要データの実効を更に高める。この実効は、例えば周辺光の使用色を表示された主要データ内で使用される平均色に合わせることにより強調することが可能である。周辺光は、例えば、表示された主要データ内の使用色の分布にも合わせることが可能である。
【０００８】
本発明による方法の実施例は、請求項３に記載されている。周辺光の特性を表示装置による主要データの表示とほぼ同期して設定することにより、周辺光は表示された主要データの実効を更に強調する。例えば、ホラー映画の場合、映画の緊張度が高まるときに光を暗くし、また映画の緊張度が再び下がるときに光を再び明るくすることができる。周辺光の使用色は、主要データの変更内容に応じて変更することも可能である。例えば、映画の中でコマーシャルが流れると、周辺光を通常の白色光状態に変えることができる。
【０００９】
本発明による方法の実施例は、請求項４に記載されている。周辺光の特性の設定を変更可能にすることにより、周辺光のデフォルト動作を無効にすることができる。例えば、周辺光が限られた数の色のみをサポートする場合、サポートされた色を変更することができる。
【００１０】
本発明による方法の実施例は、請求項５に記載されている。周辺光の特性の設定をユーザの好みによって変更可能にすることにより、周辺光のデフォルト動作を更に無効にすることができる。例えば、ユーザが赤の周辺光、明るい周辺光、または活発な光効果などを望まない場合、ユーザはこの好みを変更することができる。
【００１１】
本発明の目的は、改善された方法で媒体信号の実際の内容に反応する前文のシステムを提供することにある。この目的を達成するため、システムは、付加データが主要データについての記述情報を含み、またシステムが、付加データからこの記述情報をフィルタリングするよう構成されているフィルタリング手段と、記述情報に基づいて周辺光の特性を設定するよう構成されている設定手段とを具備していることを特徴とする。
【００１２】
本発明によるシステムの実施例は、請求項５および６に記載されている。本発明の上記および他の側面は、以下の図面に示すように、以下に説明する実施例から明らかとなり、解明されるであろう。
【発明を実施するための最良の形態】
【００１３】
今日、家庭での媒体コンテンツを消費している間に我々が得る体験は、より大きな画面、画像の強調、および非常に驚くべき音声によって強調される。これらの例は、ワイドスクリーンテレビ、１００Hzデジタルスキャン画像強調、ドルビーサラウンドサウンド、フィリップインクレディブルサウンドなどである。更に、映画およびテレビのショーの製作者は、色やシーンのカットなどあらゆる種類の視覚および可聴効果によって、視聴者の感覚に影響を与えるという試みも行っている。
【００１４】
図１は、周辺光環境の実施例を示している。ここで、１００は、光要素１０２、１０４、１０６、１０８および１１２が置かれたリビングルームを示している。光要素は、赤、緑および青などの異なる色のLED照明セルを含んでいてもよい。従来の光のような他の色および他の発光源も使用することができる。光要素１１２は、長椅子１１４の下に置かれる。テレビ１１０は、テレビジョン信号を受信および処理し、処理された映像がその画面に表示される。テレビ１１０は、アナログテレビジョン信号受信機またはデジタルテレビジョン信号受信機であってもよい。テレビジョン信号は、衛星アンテナ、ケーブル、記憶装置、インターネットなどを介して受信される。また、テレビジョン信号は一般に、VCR、CD、DVD、ゲーム機械、PCなどで保存できるように映像信号または画像となっている。リビングルーム１００はまた、椅子１１６、１１８、１２０およびテーブル１２２などの他の家具も含んでいる。家具の位置および図示した家具は、映像、ゲーム、音声などと組み合わせられて、雰囲気と光効果の両方を実現しまた変更を可能にする本発明を示す例であるにすぎない。例えば、ある人物がDVDを見るために友人を招待した場合、DVDを見ている間に得る実効を光が強調する。この場合、サイエンスフィクション映画を見ており、周辺の暗紫の光が最初の場面の不気味な雰囲気を増幅させる。映画の最中、雷雨が始まり、映画の雷光と同期して周辺光が点滅する。雷雨が消えると、長椅子の下からの緑のパルス光が始まり、映画の登場人物の傍に宇宙人がいることを知らせる。
【００１５】
図２は、本発明による方法の実施例の主要ステップを示す。ステップS２００内において、例えば、テレビジョン信号は、受信されたテレビジョン信号の内容を記述するメタデータと共に受信される。アナログテレビジョン信号の場合、メタデータは例えば、文字多重放送情報として受信されたり、あるいは最初と最後の画像線のように表示されない画像線内で受信される。デジタルテレビジョン信号が受信される場合、メタデータは例えば、MPEG-4オブジェクトとして記述されるか、XML、HTMLまたは好ましくはデジタルビデオ放送（DVB）、マルチメディアホームプラットフォーム仕様１．０（DVB／MHP仕様）内で定義されるようにテレビジョン信号と共にメタデータを送信するために使用されるその他の言語を使用して記述される。DVB／MHP仕様の現在のバージョンは、番号ETSI TS 101 812 V1.1.1を参照して、http://www.etsi.orgで知ることができる。また、電子プログラムガイド（EPG）内に存在する情報も使用することができ、またインターネット可能な機器の場合、メタデータは受信映像信号と同時に受信される。メタデータはテレビジョン信号と区別され、メタデータは次のステップS２０２内で更に処理される。
【００１６】
ステップS２０２においては、メタデータの分析が行われる。メタデータは、例えばテレビジョン受信機などの出力装置内部など、ユーザに表示される映像信号の経路の様々な位置において、あるいはテレビジョン受信機とDVDプレーヤとの間の経路上の専用機器を使用することによって分析することが可能である。分析中、周辺光を設定するのに使用可能な特殊タグが検索される。例えば、光要素をオンまたはオフに切り換えることを示すタグ、光要素の色合い、彩度、強度、明るさ、フォーカス、拡散、方向などを示すタグである。また、一般のタグ、例えば、EPG内で使用されるジャンル情報を使用し、光要素設定に具現化することも可能である。タグはまた、例えば、長時間にわたる映画の平均色も記述することもできるので、この平均色を反映するよう周辺光を設定することが可能である。周辺光は、特定の画面位置の実際の色に非常に詳細に反応することができる。例えば、熱帯雨林についての文書を表示する場合に表示装置の周囲に緑の周辺光が設定され、あるいは沈む太陽を反映する周辺光に対して、沈む太陽の色がリビングルームに展開される。これらの光要素設定は、随意に次のステップ内で微調整することができる。
【００１７】
ステップS２０４において、周辺光環境の構成を考慮して、光要素設定を決定する。構成は例えば、光要素の位置、使用可能な色、光要素の使用可能な方向などである。光要素の位置を使用して、表示装置１１０に対する光要素の位置を決定することができる。表示装置１１０に非常に近い光要素は、表示画像が適切に見えなくなるのを防ぐために明るすぎてはいけない。反対に、表示装置１１０から離れすぎている光要素は、その輝度が周辺光に貢献しないため、使用すべきではない。位置を使用して、例えば、所望の光効果を制御するに使用すべき光要素を決定することもできる。更に構成要素を使用して、光源を組み合わせた最適効果を得るために、異なる光要素の異なる強度と色を決定することも可能である。例えば、表示装置に表示されている健康番組やスポーツ番組などの特定の番組の場合、以下のような健康とムードに影響する色の組合せを使用することができる。
【００１８】
おはよう：      R９９％＋G９９％＋B９９％
リラックス：    R２０％＋G５０％＋B８０％
エネルギー：    R９９％＋G４０％＋B０％
作業：          R６０％＋G５０％＋B５０％
アイデア：      R４０％＋G６０％＋B５０％
バランス：      R４０％＋G０％＋B９９％
関係：          R４０％＋G９９％＋B５０％
遊び：          R９９％＋G０％＋B９９％
愛：            R９９％＋G０％＋B０％
夢：            R０％＋G０％＋B９９％
ここで、Rは赤、Gは緑、Bは青を示す。別の例は、内容の変更に対する感度の構成である。多数のシーンカットにより、活発な照明効果が得られることもある。感度を下げることにより、システムは長時間の間の大きな変化に反応するのみとなる。例えば、DVDまたはVCR映画を見ている場合、シーンの早送りにより、照明は中立の光設定に推移する。更に別の例はバランスの構成であり、多数の光源の場合、照明を特定の光源に変更する。また、偏光およびシーンのコントラストも例であり、偏光はシステムの能力を反映させて、例えば好きでないサッカークラブのゴールよりも好きなサッカークラブのゴールを強調するなど、予め定義した出来事に対して雰囲気を幾分強調する。またシーンのコントラストはシステムの能力を反映させて、連続するシーンなどにおける周辺光を変更する。
【００１９】
次のステップS２０６においては、ユーザの好みのような光設定の他の好みが考慮される。これらの好みを使用し、内容のムードおよび雰囲気の光効果によって増幅の強度を得ることができる。好みは例えば、怖い映画をそれほど恐ろしく見せないようにするなど、光効果を強めたり、あるいは弱めることができる。ユーザの好みはまた、ユーザが映画を既に見たか否かを決定するのにも使用できる。例えば、周辺光効果は、ユーザが映画を見るたびに強めることができる。また、例えばユーザが雷雨を強調したくないときに、雷雨の光効果を省略するなど、ユーザの好みを使用して所望の光効果を決定することができる。
【００２０】
最後のステップS２０８において、光設定は異なる光要素に送られると共に、同期してテレビジョン信号が表示装置によって表示される。一般に、テレビジョン信号の表示と共に、音声も再生される。好適には、光効果は、表示されたテレビジョン信号と音声信号の両方と同期する。一般に知られているように、音声信号はサラウンド効果で再生可能なため、光効果は更に好適に、空間と時間の両方について、音声と同期する。例えば、右側のテレビ視聴者の後側の音声の展開は、同様に右側に位置する光要素によって発せされる光効果によってサポートされなければならない。音声のみを使用して周辺光を設定する場合、メタデータを、一般に知られているRDS信号として送信することができる。
【００２１】
特に上述の方法により、次のような効果を得ることができる。宇宙人の宇宙船が街に影を投げかけるというサイエンスフィクション映画について考えてみる。これは、この動作を周辺光で拡張することによって強調される。宇宙船が視聴者の後側から移動し始める場合、背後の２つの光要素を最初に弱める。次に、前方の補助光および光要素を弱め、最後に宇宙船はテレビ画面上で街の上を素早く移動する。宇宙船が画面から始まって、視聴者のほうへ向かって移動する場合、前方の２つの光要素を最初に弱め、次に後方の補助光および光要素を弱める。最後に、前方の光要素、補助光および後方の光要素を再び明るくするので、宇宙船が飛行し続けているように見える。
【００２２】
本発明の方法の実施例における順序は強制的なものではなく、当業者は本発明が意図する概念から逸脱することなく、スレッドモデル、マルチプロセッサシステム、あるいは多数の処理を並行して使用しながら、ステップの順序を変更したり、あるいはステップを実行することができる。
【００２３】
図３は、本発明によるシステムの実施例を概略的に示している。システム３００は、メモリ３０２、３０４、３０６、３０８、３１０を含んでいる。メモリ３０２は、MPEG信号などのデジタル映像信号をデコードするためのコンピュータ読取可能なコードを含んでいる。メモリ３０４は、メタデータから映像信号を分離させるためのコンピュータ読取可能なコードを含んでいる。メモリ３０６は、光要素３１４および３１６の光設定を設定するためのコンピュータ読取可能なコードを含んでいる。光要素３１４は１つのハロゲン光源を含んでおり、また光要素３１６LED光であり、赤、緑および青の３つの光源を含んでいる。メモリ３０８は、受信した映像信号を光設定と同期させるためのコンピュータ読取可能なコードを含んでいる。メモリ３１０は、映像信号をCRTなどのディスプレイ３１２のRGBなどの表示可能信号に変換するためのコンピュータ読取可能なコードを含んでいる。メモリは、中央演算処理装置の処理パワーを使用しながら、ソフトウェアバスを介して互いに通信可能であるが、どちらも図示を省略してある。システムは、例としてソフトウェアシステムとして説明してある。しかし、上述の方法のステップを実行するよう構成されたプログラム可能なハードウェアなど、専用ハードウェアや、ソフトウェアとハードウェアの組合せも含まれる。また、デジタル映像信号を例として使用しているが、アナログ映像信号も使用可能である。後者の場合、特にメタデータを、都合よく映像信号から分離できる文字多重放送信号として送信することが可能である。
【００２４】
ちなみに、上述の実施例は本発明を制限するのではなく、説明するものであり、また当業者は添付の請求項の範囲から逸脱することなく多数の他の実施例を設計することが可能である。例えば、環境作りの目的で壁を照らす投光照明、部屋の特定の位置で照明効果を得るために様々な場所に置かれたスポット、また長椅子の下に置かれた補助光を使用するなど、特殊用途の光源を有する照明を与え、これらの光源の出力を調和させるアルゴリズムを提供する。請求項において、カッコ内の参照符号は請求項を限定するものとして解釈されるべきではない。「備える」という用語は、請求項に挙げるもの以外の要素やステップの存在を排除するものではない。要素の前の「1つの」という用語は、このような複数の要素の存在を除外するものではない。本発明は、幾つかの明確な要素を含むハードウェアによって、また適切にプログラムされたコンピュータによって実現可能である。幾つかの手段を列挙するシステム請求項においては、これらの幾つかの手段は、コンピュータ読取可能なソフトウェアまたはハードウェアの単一および同一の項目によって実施可能である。互いに異なる従属請求項において特定の手段が詳述されているという単なる事実は、これらの手段の組合せを利点に対して使用できないということを示しているのではない。
【図面の簡単な説明】
【００２５】
【図１】図１は、周辺光環境の実施例を示す。
【図２】図２は、本発明による方法の実施例の主要ステップを示す。
【図３】図３は、本発明によるシステムの実施例を概略的に示す。
【符号の説明】
【００２６】
１００  リビングルーム
１０２、１０４、１０６、１０８、１１２  光要素
１１０  テレビ
１１４  長椅子
１１６、１１８、１２０  椅子
１２２  テーブル
３００  システム
３０２、３０４、３０６、３０８、３１０  メモリ
３１２  ディスプレイ
３１４、３１６  光要素
【図１】
2005531909.tif 000003
【図２】
2005531909.tif 000004
【図３】
2005531909.tif 000005
【国際調査報告】
2005531909.tif 000006
2005531909.tif 000007
2005531909.tif 000008